(57)【要約】【課題】目的は、配線部材が周辺の部位に引っ掛かり難くすることである。【解決手段】線状伝送部材と、前記線状伝送部材をフラットな形態に保つベース部材と、を備え、前記ベース部材は、接続端部２５を含み、前記線状伝送部材は、前記接続端部２５の延在方向に沿って前記接続端部２５の先端部に向かうように前記接続端部２５に保持されており、前記接続端部２５の先端部は、前記線状伝送部材から遠ざかる方向に向うにつれて前記接続端部２５の基端側に向う引っ掛かり抑制形状部分２６を含む、配線部材である。【選択図】図２
2020198165.tif 000002
【特許請求の範囲】
【請求項１】
線状伝送部材と、
前記線状伝送部材をフラットな形態に保つベース部材と、
を備え、
前記ベース部材は、接続端部を含み、
前記線状伝送部材は、前記接続端部の延在方向に沿って前記接続端部の先端部に向かうように前記接続端部に保持されており、
前記接続端部の先端部は、前記線状伝送部材から遠ざかる方向に向うにつれて前記接続端部の基端側に向う引っ掛かり抑制形状部分を含む、配線部材。
【請求項２】
請求項１に記載の配線部材であって、
前記引っ掛かり抑制形状部分は、外側に凸となる曲面形状を呈する、配線部材。
【請求項３】
請求項１又は請求項２に記載の配線部材であって、
前記接続端部の先端部において、前記線状伝送部材がコネクタに接続されている、配線部材。
【請求項４】
請求項３に記載の配線部材であって、
前記コネクタの幅が、前記接続端部の最大幅よりも小さい、配線部材。
【請求項５】
請求項４に記載の配線部材であって、
前記引っ掛かり抑制形状部分は、前記コネクタの幅方向において、前記コネクタの側縁部又は側縁部よりも内側の位置を起点として、前記線状伝送部材から遠ざかる方向に向うにつれて前記接続端部の基端側に向う形状に形成されている、配線部材。
【請求項６】
請求項３から請求項５のいずれか１項に記載の配線部材であって、
前記コネクタは複数段コネクタである、配線部材。
【請求項７】
請求項６に記載の配線部材であって、
前記複数段コネクタから延出する複数の前記線状伝送部材が、前記接続端部に並列状態で保持されている、配線部材。
【発明の詳細な説明】
【技術分野】
【０００１】
本開示は、配線部材に関する。
【背景技術】
【０００２】
特許文献１には、シート状に形成された機能性外装部材に電線が溶着されたワイヤハーネスが開示されている。
【先行技術文献】
【特許文献】
【０００３】
【特許文献１】特開２０１８−１３７２０８号公報
【発明の概要】
【発明が解決しようとする課題】
【０００４】
配線部材を取扱うにあたっては、配線部材が周辺の部材に引っ掛かり難いことが望まれている。
【０００５】
そこで、本開示は、配線部材が周辺の部位に引っ掛かり難くすることを目的とする。
【課題を解決するための手段】
【０００６】
本開示の配線部材は、線状伝送部材と、前記線状伝送部材をフラットな形態に保つベース部材と、を備え、前記ベース部材は、接続端部を含み、前記線状伝送部材は、前記接続端部の延在方向に沿って前記接続端部の先端部に向かうように前記接続端部に保持されており、前記接続端部の先端部は、前記線状伝送部材から遠ざかる方向に向うにつれて前記接続端部の基端側に向う引っ掛かり抑制形状部分を含む、配線部材である。
【発明の効果】
【０００７】
本開示によれば、配線部材が周辺の部位に引っ掛かり難い。
【図面の簡単な説明】
【０００８】
【図１】図１は配線部材を示す概略平面図である。
【図２】図２は配線部材の一部拡大概略平面図である。
【図３】図３はコネクタの接続作業例を示す説明図である。
【図４】図４は第１変形例に係るは配線部材の一部拡大概略平面図である。
【図５】図５は第２変形例に係るは配線部材の一部拡大概略平面図である。
【図６】図６は第２変形例に係るは配線部材の一部拡大概略側面図である。
【発明を実施するための形態】
【０００９】
［本開示の実施形態の説明］
最初に本開示の実施態様を列記して説明する。
【００１０】
本開示の配線部材は、次の通りである。
【００１１】
（１）線状伝送部材と、前記線状伝送部材をフラットな形態に保つベース部材と、を備え、前記ベース部材は、接続端部を含み、前記線状伝送部材は、前記接続端部の延在方向に沿って前記接続端部の先端部に向かうように前記接続端部に保持されており、前記接続端部の先端部は、前記線状伝送部材から遠ざかる方向に向うにつれて前記接続端部の基端側に向う引っ掛かり抑制形状部分を含む、配線部材である。接続端部の先端部は、前記線状伝送部材から遠ざかる方向に向うにつれて前記接続端部の基端側に向う引っ掛かり抑制形状部分を含む。このため、線状伝送部材の端部を他の機器等に接続する際に、接続端部が当該機器等に向けて移動しても、接続端部の先端部が周辺の部位に引っ掛かり難い。
【００１２】
（２）前記引っ掛かり抑制形状部分は、外側に凸となる曲面形状を呈してもよい。接続端部の先端部が周辺の部位に引っ掛かり難い。
【００１３】
（３）前記接続端部の先端部において、前記線状伝送部材がコネクタに接続されていてもよい。コネクタが機器に接続されるために移動される場合に、接続端部の先端部が周辺の部位に引っ掛かり難い。このような場合に、接続端部の先端部に引っ掛かり抑制形状部分が形成されているとよい。
【００１４】
（４）前記コネクタの幅が、前記接続端部の最大幅よりも小さくてもよい。前記コネクタ幅が、前記接続端部の最大幅よりも小さいと、接続端部がコネクタの外側方に出っ張ってしまう。このような場合に、接続端部が周辺の部位に引っ掛かることが有効に抑制される。
【００１５】
（５）前記引っ掛かり抑制形状部分は、前記コネクタの幅方向において、前記コネクタの側縁部又は側縁部よりも内側の位置を起点として、前記線状伝送部材から遠ざかる方向に向うにつれて前記接続端部の基端側に向う形状に形成されていてもよい。コネクタの側縁部又は側縁部よりも内側を起点として、引っ掛かり抑制形状部分が形成されるため、接続端部が周辺の部位に引っ掛かり難い。
【００１６】
（６）前記コネクタは複数段コネクタであってもよい。複数段コネクタの幅は比較的小さくなり易い。このため、接続端部が複数段コネクタの外側方に出っ張り易い。このような場合に、接続端部が周辺の部位に引っ掛かることが有効に抑制される。
【００１７】
（７）前記複数段コネクタから延出する複数の前記線状伝送部材が、前記接続端部に並列状態で保持されていてもよい。この場合、接続端部が幅広となり易い。このため、接続端部が複数段コネクタの外側方に出っ張り易い。このような場合に、接続端部が周辺の部位に引っ掛かることが有効に抑制される。
【００１８】
［本開示の実施形態の詳細］
本開示の配線部材の具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００１９】
[実施形態]
以下、実施形態に係る配線部材について説明する。図１は配線部材２０を示す概略平面図である。図２は配線部材２０の一部拡大概略平面図である。
【００２０】
配線部材２０は、車両に用いられる配線部材である。配線部材２０は、車両における板状部分１２等の上に配設される。板状部分１２は、車両における金属ボディの一部、内装パネルの一部であること等が想定される。板状部分１２のうちの少なくとも一方の主面は、平面形状を呈していてもよい。金属ボディ又は内装パネルの一部が溝又は突起等が形成された凹凸形状を呈していてもよい。
【００２１】
配線部材２０は、電線２２と、シート材２４とを備える。
【００２２】
電線２２は線状伝送部材の一例である。より具体的には、電線２２は、芯線と、被覆とを含む。芯線は、金属等の導電部材によって形成された線状導体である。被覆は、芯線の周囲を覆う絶縁部分である。線状伝送部材は、電気又は光等を伝送する線状の部材であればよい。例えば、線状伝送部材は、電線の他、裸導線、シールド線、ツイスト線、エナメル線、ニクロム線、光ファイバ等であってもよい。ここでは、配線部材は、複数の線状伝送部材（電線２２）を含む。
【００２３】
シート材２４は、電線２２が固定された部材である。複数の電線２２がシート材２４に固定されることによって、複数の電線２２が一定の経路に沿って偏平な形態に保たれる。よって、シート材２４は、電線２２をフラットな形態に保つベース部材の一例である。
【００２４】
ここでは、シート材２４の一方主面側に複数の電線２２が固定されている。シート材２４を構成する材料は特に限定されるものではない。シート材２４は、例えばＰＶＣ（ポリ塩化ビニル）、ＰＥＴ（ポリエチレンテレフタレート）、ＰＰ（ポリプロピレン）、ナイロンなどの樹脂を含む材料によって形成される。シート材２４は、不織布、織地、編地など繊維を有する繊維材等であってもよいし、非繊維材であってもよい。繊維材は、繊維の間に細かい空間が形成された部材である。非繊維材としては、内部が一様に埋った充実状の部材、または樹脂が発泡成形された発泡体などであってもよい。シート材２４は、金属などの材料を含むこともあり得る。
【００２５】
電線２２とシート材２４との固定態様は特に限定されるものではなく、接着、溶着などであってもよい。接着とは、接着剤、両面粘着テープなどの介在物を介して２つの部材がくっつくことを言う。溶着とは、介在物を介さずに、２つの部材のうち少なくとも一方に含まれる樹脂が溶けて２つの部材がくっつくことを言う。ここでは電線２２の被覆に含まれる樹脂と、シート材２４に含まれる樹脂とのうち少なくとも一方が溶けて相手側の部材にくっつくことによって、電線２２とシート材２４とが固定される。この場合の溶着は、例えば、超音波溶着によってなされる。
【００２６】
シート材２４は、単層であってもよいし、複数層積層されていてもよい。複数層積層されている場合、例えば、樹脂層と樹脂層とが積層されていることが考えられる。また例えば、樹脂層と金属層とが積層されていることが考えられる。また、シート材２４は、非繊維材層と非繊維材層とが重ねられたものであってもよいし、非繊維材層と繊維材層が重ねられたものであってもよいし、繊維材層と繊維材層とが重ねられたものであってもよい。
【００２７】
シート材２４に対して、電線２２を覆うように他のシート材が重ねられていてもよい。この場合の他のシート材は、電線２２を覆うカバーシートであると把握され得る。カバーシートの材料は、特に限定されるものではい。カバーシートは、例えばＰＶＣ、ＰＥＴ、ＰＰ、ナイロンなどの樹脂を含む材料によって形成される。カバーシートは、繊維材であってもよいし、非繊維材であってもよいし、金属材であってもよい。カバーシートは、単層であってもよいし、複数層積層されていてもよい。カバーシートは、例えば、シート材２４の両側部で当該シート材２４に固定される。シート材２４とカバーシートとの固定態様は特に限定されるものではなく、溶着、接着などであってもよい。シート材に対してカバーシートは、部分的に設けられていてもよい。カバーシートがシート材２４よりも高剛性であれば、配線部材２０を一定の形態に保ち易い。
【００２８】
配線部材２０は、接続先となる各電気部品の位置に応じて分岐していてもよい。ここでは、複数の電線２２が複数箇所（ここでは３箇所）で分岐している例が示されている。この場合、シート材２４は、電線２２の分岐経路に沿って分岐するように形成されているとよい。配線部材２０のうち最も多くの電線２２が設けられた部分は幹線部と称されてもよい。また、上記電線２２が幹線部から分岐した部分は枝線部と称されてもよい。
【００２９】
複数の電線２２の端部にはコネクタ２３が取付けられている。ここでは、幹線部の両端部、及び、枝線部の端部において、電線２２がシート材２４の端部から延出している。シート材２４の端部から延出した電線２２の端部に端子が取付けられ、当該端子がコネクタ２３のキャビティ内に挿入されている。コネクタがシートの端部に固定されていてもよい。この場合、電線２２はシート材２４の端部から延出していなくてもよい。配線部材２０は、コネクタ２３等を介して他の電気機器１８等に接続される（図１において１つの電気機器１８が例示される）。
【００３０】
配線部材２０は、上記例に限られない。例えば、配線部材は、ＦＰＣ（Flexible printed circuit）、ＦＦＣ（Flexible Flat Cable）等のように、複数の線状導体が一対のフィルムによって相互に絶縁された状態で偏平状態に保たれたものであってもよい。この場合、一対のフィルムがベース部材である。また、電線が、金型成形されたベース部材としての樹脂部分内に埋まってフラットな形態に保たれることによって、配線部材が構成されてもよい。また、配線部材が枝線部を有していることは必須ではない。
【００３１】
シート材２４は、接続端部２５を含む。ここでは、幹線部の両端部及び枝線部の先端部のそれぞれが接続端部２５である。ここでは、接続端部２５は長尺状に形成されている。
【００３２】
各接続端部２５において、電線２２は、当該接続端部２５の延在方向に沿ってその先端部に向うように接続端部２５に保持されている。すなわち、電線２２は、シート材２４のうち接続端部２５の部分に対して、当該接続端部２５の延在方向に沿って固定されている。上記したように、電線２２は、接続端部２５の先端部から延出してコネクタ２３に接続されていてもよいし、接続端部２５の先端部から延出せずにコネクタに接続されていてもよい。図１及び図２では前者の例が示されている。いずれの場合も、接続端部２５の先端部において、電線２２がコネクタ２３に接続されている例である。
【００３３】
接続端部２５の先端部は、電線２２から遠ざかる外側方に向うにつれて、接続端部２５の基端側に向う引っ掛かり抑制形状部分２６に形成されている。より具体的には、接続端部２５の両側縁は、接続端部２５における電線２２の延在方向に沿っている。接続端部２５の両側縁は、互いに平行である。接続端部２５の先端縁は、接続端部２５における電線２２の延在方向に対して直交している。接続端部２５の先端縁の延在方向は、接続端部２５の両側縁の延在方向に対して直交している。接続端部２５の先端縁と接続端部２５の側縁とが、上記引っ掛かり抑制形状部分２６を介して連なっている。引っ掛かり抑制形状部分２６は、電線２２に対して直交する外方向（接続端部２５の幅方向において電線２２から遠ざかる方向である）に向うのにつれて徐々に接続端部２５の基端側に向う形状に形成されている。接続端部２５の先端は、接続端部２５において電線２２の端部が配設されるか電線２２が延出する側の端である。接続端部２５の基端側は、電線２２の延在方向又は接続端部２５の長手方向に沿った方向において先端とは反対側である。ここでは、引っ掛かり抑制形状部分２６は、配線部材２０を平面視した状態において、外向きに凸となる曲線形状（ここでは４分の１の円弧形状）に形成されている。シート材２４の厚みを考慮すると、引っ掛かり抑制形状部分２６は、外側に凸となる曲面形状を呈しているともいえる。
【００３４】
接続端部２５の幅は、保持対象となる電線２２の本数等に応じて適宜設定される。コネクタ２３の幅は、接続対象となる電線２２の本数、接続相手側のコネクタ形状等に応じて適宜設定される。接続端部２５の幅は、コネクタ２３の幅よりも小さい場合もあれば、大きい場合もあり得る。図１及び図２では、接続端部２５の幅が、コネクタ２３の幅よりも大きい例、すなわち、コネクタ２３の幅が接続端部２５の幅よりも小さい例が示される。つまり、コネクタ２３の幅方向において、接続端部２５の両側部は、コネクタ２３の幅方向外側にはみ出ている。
【００３５】
この場合、引っ掛かり抑制形状部分２６は、コネクタ２３の幅方向において、コネクタ２３の側縁部又は側縁部よりも内側の位置を起点Ｐとして、接続端部２５の外側方に向うとよい。図２では、コネクタ２３の側縁部を、電線２２の延在方向に沿って接続端部２５側に延長した補助ラインＬが示される。接続端部２５の先端縁は、電線２２に対して直交している。この接続端部２５の先端縁から引っ掛かり抑制形状部分２６に変る部分が、引っ掛かり抑制形状部分２６の起点Ｐである。起点Ｐは、上記補助ラインＬ上又は補助ラインＬよりも接続端部２５の幅方向中央寄りにあることが好ましい。図２では起点Ｐが補助ラインＬよりも接続端部２５の幅方向中央寄りにある例が示されている。
【００３６】
図３は接続端部２５に対応するコネクタ２３を電気機器１８側のコネクタ１９に接続する作業例を示す説明図である。この場合、コネクタ２３は、コネクタ１９に対向する位置からコネクタ１９に向けて移動してコネクタ１９に接続されることが想定される。車両における配線部材２０の配設スペースには様々な部位が存在していることが想定される。このため、コネクタ２３がコネクタ１９に向けて移動する際、接続端部２５の先端側の少なくとも一方の側部が他の部位５０に接触してしまう恐れがある。本配線部材２０では、接続端部２５の先端側の側部に引っ掛かり抑制形状部分２６が形成されている。このため、引っ掛かり抑制形状部分２６が他の部位５０に接触したとしても、当該引っ掛かり抑制形状部分２６は他の部位５０に引っ掛かり難い。例えば、ベース部材であるシート材２４が比較的柔軟である場合、引っ掛かり抑制形状部分２６が他の部位５０に接触しても、接続端部２５が部分的に反るように変形して、引っ掛かり抑制形状部分２６が他の部位５０に引っ掛かることが抑制される。あるいは、例えば、ベース部材がある程度硬い場合でも、引っ掛かり抑制形状部分２６が他の部位５０に接触すれば、接続端部２５が全体的に他の部位５０から離れる方向に移動して、引っ掛かり抑制形状部分２６が他の部位５０に引っ掛かることが抑制される。
【００３７】
このように構成された配線部材２０によると、接続端部２５の先端部には、電線２２から遠ざかる方向に向うにつれて接続端部２５の基端側に向う引っ掛かり抑制形状部分２６が形成されている。このため、電線２２の端部が他の電気機器１８等に接続される際に、接続端部２５が当該電気機器１８等に向けて移動しても、接続端部２５の先端部が周辺の部位５０等に引っ掛かり難い。
【００３８】
また、引っ掛かり抑制形状部分２６が外側に凸となる曲面形状であれば、引っ掛かり抑制形状部分２６は周辺の部位５０等に対してより引っ掛かり難くなる。
【００３９】
接続端部２５の先端部において、電線２２がコネクタ２３に接続されている場合、当該コネクタ２３は相手側のコネクタ１９に向けて移動してコネクタ１９に接続される。この場合、接続端部２５も当該コネクタ１９に向けて移動するため、接続端部２５の先端部が周辺の部位５０等に引っ掛かり易い状況が生じ得る。このため、接続端部２５の先端部において、電線２２がコネクタ２３に接続されている場合において、当該接続端部２５の先端部に引っ掛かり抑制形状部分２６が形成されていることが好ましい。
【００４０】
また、コネクタ２３の幅が接続端部２５の最大幅よりも小さいと、接続端部２５がコネクタ２３の外側方に出っ張ってしまう。コネクタ２３が相手側のコネクタ１９に向けて移動すると、接続端部２５のうちコネクタ２３に対して側方に出っ張った側部が周辺の部位５０に引っ掛かり易い。このような場合に、接続端部２５の先端部に引っ掛かり抑制形状部分２６が形成されていることが好ましい。ここで、最大幅とは、例えば、コネクタ２３の側縁部が曲線を描いている場合、段を描いている場合等が考慮された上で、電線２２の延在方向に直交する方向の寸法が最大となる値をいう。接続端部２５の両側縁部（引っ掛かり抑制形状部分２６より基端側に連なる両側縁部）が平行である場合には、当該両側縁部間の幅が最大幅であるとしてもよい。
【００４１】
引っ掛かり抑制形状部分２６は、コネクタ２３の側縁部又は側縁部よりも内側を起点Ｐとして形成されると、周辺の部位５０は、接続端部２５の先端部のうち引っ掛かり抑制形状部分２６に接触することが期待される。このため、接続端部が周辺の部位５０等により引っ掛かり難い。
【００４２】
上記実施形態を前提として各種変形例について説明する。
【００４３】
図４に示す第１変形例では、引っ掛かり抑制形状部分２６に対応する引っ掛かり抑制形状部分１２６は、接続端部２５の先端部の角を面取りした形状に形成されている。すなわち、引っ掛かり抑制形状部分１２６は、接続端部２５の先端縁及び側縁部に対して斜め方向に延在する形状に形成されている。このため、引っ掛かり抑制形状部分１２６は、電線２２から遠ざかる方向に向うにつれて接続端部２５の基端側に向う形状部分の一例である。
【００４４】
本例によっても、電線２２の端部が他の電気機器１８等に接続される際に、接続端部２５が当該電気機器１８等に向けて移動しても、接続端部２５の先端部が周辺の部位５０等に引っ掛かり難い。
【００４５】
引っ掛かり抑制形状部分１２６は、例えば、接続端部２５の角を斜めに切除することによって形成されてもよい。この場合、当該引っ掛かり抑制形状部分１２６が容易に形成される。
【００４６】
図５及び図６に示す第２変形例では、コネクタ２３に対応するコネクタは複数段コネクタ２２３とされている。複数段コネクタ２２３とは、電線２２の端部に接続された端子を収容するキャビティ２２３Ｃが複数段形成されたコネクタである。図５及び図６には、幅方向において複数（ここでは５つ）のキャビティ２２３Ｃが形成され、厚み方向において複数段（ここでは２段）のキャビティ２２３Ｃが形成された例が示されている。
【００４７】
接続端部２５に対応する接続端部２２５において、当該接続端部２２５に保持された複数の電線２２は次のように複数段コネクタ２２３に接続される。すなわち、接続端部２２５において、複数の電線２２は並列状態に保持される。ここでは、複数の電線２２は、シート状をなす接続端部２２５の一方主面に、その幅方向に一列に並ぶように配設される。このため、接続端部２２５の幅は、保持対象となる電線２２の直径及び本数に応じた寸法となり、必要に応じて、前記寸法に電線２２間の間隔、電線２２の外側の余長幅が加算された寸法となる。
【００４８】
複数段コネクタ２２３においては、平面視した状態で複数のキャビティ２２３Ｃが重なっている。このため、複数段コネクタ２２３において、幅方向に並ぶキャビティ２２３Ｃの数は、接続端部２２５の幅方向に並ぶ電線２２の本数よりも小さくなる。例えば、接続端部２２５において１０本並ぶ電線２２の端子は、複数段コネクタ２２３の幅方向において５つ並ぶキャビティ２２３Ｃの上下段に保持され得る。このため、複数段コネクタ２２３の幅は、接続端部２２５の幅よりも小さくなり得る。
【００４９】
接続端部２２５の先端部にも、上記引っ掛かり抑制形状部分２６に対応する引っ掛かり抑制形状部分２２６が形成されている。ここでは、引っ掛かり抑制形状部分２２６の起点Ｐは、複数段コネクタ２２３の側縁部よりも外方に位置している。実施形態で説明したように、起点Ｐは、接続端部２２５の幅方向において複数段コネクタ２２３の側縁部と同じ位置又は内側に位置していてもよい。
【００５０】
本第２変形例のように、複数段コネクタ２２３の幅は比較的小さくなり易い。このため、接続端部２２５が複数段コネクタ２２３の外側方に出っ張り易い。このような場合に、接続端部２２５に引っ掛かり抑制形状部分２２６が設けられることで、接続端部２２５が周辺の部位５０に引っ掛かることが有効に抑制される。
【００５１】
また、複数段コネクタ２２３から延出する複数の電線２２が、接続端部２２５において並列状態で保持されている。このため、接続端部２２５が幅広となり、複数段コネクタ２２３の外側方に出っ張り易い。このような場合に、接続端部２２５に引っ掛かり抑制形状部分２２６が設けられることで、接続端部２２５が周辺の部位５０に引っ掛かることがより有効に抑制される。
【００５２】
なお、複数段コネクタから延出する複数の電線が、接続端部において複数層に亘って並列状態で保持されてもよい。
【００５３】
なお、上記実施形態及び各変形例で説明した各構成は、相互に矛盾しない限り適宜組合せられ得る。例えば、第２変形例において斜めに切断された形状を呈する引っ掛かり抑制形状部分が形成されていてもよい。
【符号の説明】
【００５４】
１２    板状部分
１８    電気機器
１９    コネクタ
２０    配線部材
２２    電線
２３    コネクタ
２４    シート材
２５    接続端部
２６    引っ掛かり抑制形状部分
５０    周辺の部位
１２６    引っ掛かり抑制形状部分
２２３    複数段コネクタ
２２３Ｃ    キャビティ
２２５    接続端部
２２６    引っ掛かり抑制形状部分
Ｌ    補助ライン
Ｐ    起点
【図１】
2020198165.tif 000003
【図２】
2020198165.tif 000004
【図３】
2020198165.tif 000005
【図４】
2020198165.tif 000006
【図５】
2020198165.tif 000007
【図６】
2020198165.tif 000008